【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
複数のデバイスを使用してネットワークサービスを利用するための方法であって、1つ
または複数のプロセッサによって実装され、
第1のデバイス上で、第2のデバイスと共有されるアプリケーションプラットフォームを
実装するステップであって、前記アプリケーションプラットフォームは、前記第1のデバ
イスと前記第2のデバイスとが、少なくとも前記ネットワークサービスに対して同じ識別
情報を有するように動作することができるように実装される、実装するステップと、
前記第1のデバイス上で、前記ネットワークサービスにアクセスするか、または前記ネットワークサービスを使用するための入力を受信するためにユーザインターフェースを与えるステップと、
前記第1のデバイスから、前記ユーザインターフェースを与えることに応答して受信さ
れた入力を通信するステップであって、前記入力が、前記ネットワークサービスに通信さ
れる、通信するステップと、
前記入力を通信したことに応答して前記ネットワークサービスからトークンを受信する
ステップと、
前記第2のデバイスにデータ項目のセットを通信するステップであって、データ項目の
前記セットは、前記第2のデバイスが、前記ネットワークサービスにアクセスし、前記ネットワークサービスを使用することを可能にする前記トークンと1つまたは複数の識別子とを含む、通信するステップと、
前記第2のデバイスが前記ネットワークサービスにアクセスしている間に、前記第2のデバイスで、ユーザインターフェースイベントに対応する前記ネットワークデバイスからトリガを受信するステップと、
前記第2のデバイスから前記第1のデバイスに前記ユーザインターフェースイベントを識別するデータを通信するステップと
を含む方法。
【請求項２】
前記ネットワークサービスからストリーミングメディアを受信するために、前記第2の
デバイス上で前記ネットワークサービスにアクセスするステップをさらに含む、請求項1
に記載の方法。
【請求項３】
データ項目の前記セットを通信するステップが、前記第1のデバイス上に記憶されたク
ッキーを通信するステップを含む、請求項1に記載の方法。
【請求項４】
データ項目の前記セットを通信するステップが、前記第1のデバイスの機械識別子を通
信するステップを含む、請求項1に記載の方法。
【請求項５】
トークンを受信するステップが認証トークンを受信するステップを含む、請求項1に記
載の方法。
【請求項６】
前記ユーザインターフェースを与えるステップと、前記入力を通信するステップと、前
記トークンを受信するステップと、データ項目の前記セットを通信するステップとがそれ
ぞれ、前記第1のデバイスの前記アプリケーションプラットフォームを使用して実行され
る、請求項1に記載の方法。
【請求項７】
前記ネットワークサービスの1つまたは複数のルールに従って前記ネットワークサービ
スからのストリーミングメディアを再生するように前記第2のデバイスを制御するステッ
プをさらに含む、請求項1に記載の方法。
【請求項８】
前記ネットワークサービスから与えられたストリーミングメディアを識別する1つまた
は複数のリンクを前記第2のデバイスにシグナリングするステップをさらに含む、請求項1
に記載の方法。
【請求項９】
前記第1のデバイスと前記第2のデバイスとが、前記ネットワークサービスに同時にアク
セスする、請求項1に記載の方法。
【請求項１０】
前記第2のデバイスから前記トリガを受信するステップが、前記ユーザインターフェー
スイベントの識別子を受信するステップと、ユーザインターフェース特徴を判断するため
に前記識別子を使用して前記ネットワークサービスにアクセスするステップとを含む、請
求項1に記載の方法。
【請求項１１】
複数のデバイスを使用してネットワークサービスを利用するための方法であって、1つ
または複数のプロセッサによって実装され、
再生デバイス上で、ユーザインターフェースデバイスと共有されるアプリケーションプ
ラットフォームを実装するステップであって、前記アプリケーションプラットフォームは
、前記再生デバイスと前記ユーザインターフェースデバイスとが、少なくとも前記ネット
ワークサービスに対して同じ識別情報を有するように動作することができるように実装さ
れる、実装するステップと、
前記再生デバイス上で、データ項目のセットを受信するために前記ユーザインターフェ
ースデバイスと通信するステップであって、データ項目の前記セットが、(i)前記ユーザ
インターフェースデバイスに前記ネットワークサービスによって通信されたトークンと、
(ii)前記ネットワークサービスにアクセスするために前記ユーザインターフェースデバイ
スによって使用される1つまたは複数の識別子とを含む、通信するステップと、
前記トークンと、前記ユーザインターフェースデバイスから受信した前記1つまたは複
数の識別子とを使用して前記ネットワークサービスにアクセスするステップと、
前記再生デバイスが前記ネットワークサービスにアクセスしている間に、前記ネットワ
ークサービスによってトリガされたユーザインターフェースイベントの発生を検出するス
テップと、
前記ユーザインターフェースデバイスに前記ユーザインターフェースイベントを識別す
るデータを通信するステップと
を含む方法。
【請求項１２】
前記ネットワークサービスにアクセスするステップは、前記ユーザインターフェースデ
バイスが前記ネットワークサービスにアクセスするのと同時に実行される、請求項11に記
載の方法。
【請求項１３】
前記ユーザインターフェースデバイスから、ストリーミングメディアを識別するための
複数のリンクを受信するステップと、
前記ネットワークサービスから、前記複数のリンクの各々によって識別されるストリー
ミングメディアを検索するステップと、
前記複数のリンクの各々によって識別される前記ストリーミングメディアを検索しなが
ら、前記ネットワークサービスによってトリガされた前記ユーザインターフェースイベン
トの前記発生を検出するステップと、
前記ユーザインターフェースデバイスに前記ユーザインターフェースイベントを識別す
るデータを通信するステップと、
前記ユーザインターフェースデバイスから前記ユーザインターフェースイベントへの応
答を受信するステップと、
前記ネットワークサービスへの前記応答を通信するステップと
をさらに含む、請求項11に記載の方法。
【請求項１４】
ユーザインターフェースを与えるように適応された第1のデバイスと、
データ出力構成要素を与えるように適応された第2のデバイスと
を含むシステムであって、
前記第1のデバイスと前記第2のデバイスとの各々が、アプリケーションプラットフォー
ムを実装し、前記アプリケーションプラットフォームは、前記第1のデバイスと前記第2の
デバイスとが、少なくともネットワークサービスに対して同じデバイスのように見えるこ
とができるように前記第1のデバイスと前記第2のデバイスとの各々の上に実装され、
前記第1のデバイスは、
前記ネットワークサービスにアクセスするか、または前記ネットワークサービスを使用するための入力を受信するためにユーザインターフェースを与えることと、
前記ユーザインターフェースを与えることに応答して受信された入力を通信すること
であって、前記入力が、前記ネットワークサービスに通信される、通信することと、
前記入力を通信したことに応答して前記ネットワークサービスからトークンを受信す
ることと、
前記第2のデバイスにデータ項目のセットを通信することであって、データ項目の前
記セットは、前記第2のデバイスが、前記ネットワークサービスにアクセスし、前記ネットワークサービスを使用することを可能にする前記トークンと1つまたは複数の識別子とを含む、通信することと、
前記ユーザインターフェース上にユーザインターフェースイベントを表示することに
よって、前記ユーザインターフェースイベントを識別するデータに応答することと
を行い、
前記第2のデバイスは、
データ項目の前記セットを受信するために前記第1のデバイスと通信することと、
前記第1のデバイスから受信したデータ項目の前記セットを使用して前記ネットワー
クサービスにアクセスすることと、
前記ネットワークサービスによってトリガされた前記ユーザインターフェースイベン
トの発生を検出することと、
前記第1のデバイスに前記ユーザインターフェースイベントを識別するデータを通信
することと
を行う、システム。
【請求項１５】
コンピューティングデバイスであって、
命令のセットを記憶するメモリリソースと、
1つまたは複数のプロセッサであって、メモリから命令を検索し、
第2のデバイスと共有されるアプリケーションプラットフォームを実装することであっ
て、前記アプリケーションプラットフォームは、前記コンピューティングデバイスと前記
第2のデバイスとが、少なくともネットワークサービスに対して同じ識別情報を有するよ
うに動作することができるように実装される、実装することと、
前記ネットワークサービスにアクセスするか、または前記ネットワークサービスを使用するための入力を受信するためにユーザインターフェースを与えることと、
前記ユーザインターフェースを与えることに応答して受信された入力を通信することで
あって、前記入力が、前記ネットワークサービスに通信される、通信することと、
前記入力を通信したことに応答して前記ネットワークサービスからトークンを受信する
ことと、
前記第2のデバイスにデータ項目のセットを通信することであって、データ項目の前記
セットは、前記第2のデバイスが、前記ネットワークサービスにアクセスし、前記ネットワークサービスを使用することを可能にする前記トークンと1つまたは複数の識別子とを含む、通信することと、
前記第2のデバイスが前記ネットワークサービスにアクセスしている間に、前記第2のデバイスで、ユーザインターフェースイベントに対応する前記ネットワークサービスからトリガを受信することと、
前記第2のデバイスから前記第1のデバイスに前記ユーザインターフェースイベントを識別するデータを通信することと
を行う、1つまたは複数のプロセッサと
を含むコンピューティングデバイス。